(57)【要約】【課題】  電動モータや液圧ポンプの振動を減衰し、騒音を低減することのできる液圧装置を提供する。【解決手段】  電動モータ１３とこの電動モータ１３により駆動される液圧ポンプ１２とからなる内部構成部品と、液圧ポンプ１２に供給する作動液Ｌを収容するタンク１１と、内部構成部品はアダプタ１４に取り付けられ、タンクシール１７を介してタンク１１に支持されると共に、タンク１１の作動液Ｌを液圧ポンプ１２に吸い込むサクションパイプ１５の外周には作動液Ｌに対して摩擦抵抗を有する抵抗板１８を取り付け、内部構成部品の振動を減衰する。【選択図】        図１
2007085500.tif 000002
【特許請求の範囲】
【請求項１】
少なくとも電動モータとこの電動モータにより駆動される液圧ポンプとからなる内部構成部品と、液圧ポンプに供給する作動液を収容するタンクと、内部構成部品を保持するアダプタが弾性体を介してタンクに支持されると共に、タンクに収容された作動液に浸漬されたパイプを介して作動液を液圧ポンプに吸い込む液圧装置において、前記内部構成部品の一部に、前記作動液に浸漬されるよう作動液に対して摩擦抵抗を有する抵抗部材を取り付け、前記内部構成部品の振動を減衰するよう構成したことを特徴とする液圧装置。
【請求項２】
前記抵抗部材は、前記パイプの外周に取り付けられたことを特徴とする請求項１に記載された液圧装置。
【発明の詳細な説明】
【技術分野】
【０００１】
本発明は、例えば液圧システムの液圧源等に好適に使用される液圧装置に関する。
【背景技術】
【０００２】
従来、図２に示すように、液圧システムの液圧源等に好適に使用される液圧装置として、電動モータ５３や液圧ポンプ５２からなる内部構成部品は、各種バルブを有したアダプタ５４に保持され、このアダプタ５４が弾性体であるタンクシール５７を介して、タンク５１に支持されていた。
【０００３】
また、タンク５１内の作動液Ｌを液圧ポンプ５２で吸い上げるために、サクションパイプ５５が液圧ポンプ５２からタンク５１の底面近傍まで伸長されて設けられ、液圧ポンプ５２の一部とともに作動液Ｌに浸けられていた。さらに、作動液Ｌをタンク５１に戻すためのリターンパイプ５６がアダプタ５４に設けられ、作動液Ｌに浸けられていた。
【０００４】
ところで、この種の液圧装置は、電動モータ５３の振動や液圧ポンプ５２の脈動などを起因として騒音が発生しやすく、特に車載等された場合、このような騒音が住環境等へ悪影響を及ぼしかねない。
【特許文献１】公技番号２００４−５０７８５８
【発明の開示】
【発明が解決しようとする課題】
【０００５】
しかしながら、上記したとおり、振動の発生源である電動モータ５３や液圧ポンプ５２はそれらを保持するアダプタ５４がタンクシール５７を介してタンク５１に支持されるだけでは振動の減衰効果は得られず、また、タンク５１内の作動液に漬けられたサクションパイプ５５及びリターンパイプ５６や液圧ポンプ５２の一部と作動液Ｌの間に発生する摩擦抵抗によっても、振動の減衰効果は得られなかった。
【０００６】
本発明は、電動モータや液圧ポンプの振動を減衰し、騒音を低減することのできる液圧装置を提供することを目的とする。
【課題を解決するための手段】
【０００７】
本発明は、少なくとも電動モータとこの電動モータにより駆動される液圧ポンプとからなる内部構成部品と、液圧ポンプに供給する作動液を収容するタンクと、内部構成部品を保持するアダプタが弾性体を介してタンクに支持されると共に、タンクに収容された作動液に浸漬されたパイプを介して作動液を液圧ポンプに吸い込む液圧装置において、前記内部構成部品の一部に、前記作動液に浸漬されるよう作動液に対して摩擦抵抗を有する抵抗部材を取り付け、前記内部構成部品の振動を減衰するよう構成したことを特徴とする。
【０００８】
さらに、前記抵抗部材は、前記パイプの外周に取り付けられたことを特徴とする。
【発明の効果】
【０００９】
本発明では、内部構成部品であり振動の発生源である電動モータや液圧ポンプの振動をタンク内の作動液の摩擦抵抗を利用して減衰し、騒音を低減することができる。特に車載等された場合でも、住環境等へ悪影響を及ぼす騒音が低減される。
【発明を実施するための最良の形態】
【００１０】
以下に本実施例について図１を用いて述べる。
【００１１】
本実施例の液圧装置の基本構成としては、タンク１１から作動液Ｌを吸い込み加圧して吐出する液圧ポンプ１２と、液圧ポンプ１２を駆動する電動モータ１３と、作動液Ｌの圧力や流量などを調節する各種バルブ（図示省略）と、これら構成要素の取り付け部となるアダプタ１４と、作動液を収容するタンク１１と、タンク１１から液圧ポンプ１２へ作動液Ｌを吸い込む通路となるサクションパイプと１５、作動液Ｌを供給した外部のアクチュエータ（図示省略）から戻ってきた作動液Ｌがタンク１１へ戻る際の通路となるリターンパイプ１６と、タンク１１とアダプタ１４との間のすき間を塞ぐと共に、アダプタ１４をタンク１１から浮かせて支持するゴムなどの弾性体からなるタンクシール１７で構成される。このような構成は、従来の液圧装置と同様の構成となっている。
【００１２】
さらに、本実施例では、タンク１１内で作動液Ｌに浸かったサクションパイプ１５には、抵抗板１８が取り付けられ、タンク１１内の作動液Ｌとの摩擦が大きくなるよう構成されている。すなわち、サクションパイプ１５には、振動の発生源である電動モータ１３や液圧ポンプ１２から振動が伝わるが、その振動が、サクションパイプ１５に取り付けられた抵抗板１８が作動液Ｌから受ける摩擦抵抗により減衰される。
【００１３】
なお、平面状の抵抗板１８を使用する場合、振動方向に最も面積が大きい面が直交するように抵抗板１８を構成することで大きな摩擦力が得られ、振動が効果的に減衰できる。
【００１４】
また、振動板１８の枚数は１枚に限定する必要はない。本実施例では、液圧ポンプ１２の回転軸の軸心に対して円周方向の振動が顕著である場合、軸心を含む複数の平面に合わせて抵抗板を設けることで効果的に振動を減衰できる。ただし、その枚数は不要な重量化を避けることを勘案して決める必要がある。
【００１５】
さらに、振動源の振動方向が複数存在する場合、それぞれの振動方向に対して面が直交するように複数の抵抗板１８を取り付けても構わないし、一つの振動方向に対して大きな摩擦を得るために、その振動方向に面が直交する振動板１８を平行して複数取り付けても構わない。
【００１６】
また、本実施例では、板状の抵抗板１８を使用しているが、網目状のもの、多数のフィンが形成されたもの、多孔質ものものでもよく、また、全体の形状として、球状や立方体状のものでも構わない。
【００１７】
抵抗板１８の取り付け位置として、本実施例では、サクションパイプに取り付けたが、液圧ポンプ１２や電動モータ１３等からなる振動源と一体化された部材、例えば液圧ポンプ１２に、抵抗板１８が作動液Ｌに浸かるように取り付けても構わない。
【図面の簡単な説明】
【００１８】
【図１】本発明の液圧装置を示す断面図
【図２】従来の液圧装置を示す断面図
【符号の説明】
【００１９】
１１  タンク
１２  液圧ポンプ
１３  電動モータ
１４  アダプタ
１５  サクションパイプ
１６  リターンパイプ
１７  タンクシール
１８  抵抗板
Ｌ    作動液
【図１】
2007085500.tif 000003
【図２】
2007085500.tif 000004